(57)【特許請求の範囲】
【請求項１】
他の無線通信機器との無線通信を行う無線通信機器において，
前記無線通信に用いられる通信設定情報を記憶する記憶手段と，
前記記憶手段が記憶する通信設定情報に従い前記無線通信を制御し、アクセスポイントを介する無線通信で前記他の無線通信機器と通信を行う第１の無線通信および前記アクセスポイントを介さないピアツーピアの無線通信で前記他の無線通信機器と通信を行う第２の無線通信の通信制御に対応する通信制御手段とを有し，
前記通信制御手段は，
前記記憶手段に記憶された前記第１の無線通信の通信設定情報に従い前記第１の無線通信を制御し，
前記無線通信機器でユーザによる前記第２の無線通信を有効化する操作に応答して，前記記憶手段内の前記第１の無線通信の通信設定情報を保持して前記第１の無線通信を終了し、前記無線通信機器の識別情報を含むプローブリクエストを送信して前記第２の無線通信接続が有効化されている前記他の無線通信機器からの前記他の無線通信機器の識別情報を含むプローブレスポンスを受信し，前記受信したプローブレスポンスに対応する前記他の無線通信機器のリストを表示し，
前記他の無線通信機器のリストからユーザにより選択された他の無線通信機器にグループオーナネゴシエーションリクエストを送信し，前記選択された他の無線通信機器でユーザによる接続許可の操作に応じて返信されるグループオーナネゴシエーションレスポンスを受信すると，ネットワーク識別子を生成して前記ネットワーク識別子を有する第２の無線通信の通信設定情報を前記記憶手段に記憶し，前記選択された他の無線通信機器と無線層レベルでネットワークを構築したことを通知するコンファメーションを前記選択された他の無線通信機器に送信後，前記選択された他の無線通信機器との間でセキュリティ設定を行い，前記第２の無線通信の通信設定情報に従い前記第２の無線通信を制御し，
前記第２の無線通信が切断したとき，前記第１の無線通信の通信設定情報に従い前記第１の無線通信を制御する無線通信機器。
【請求項２】
請求項１において，
前記通信制御手段は，前記他の無線通信機器からの切断通知信号を受信したとき，前記他の無線通信機器からのビーコン信号を所定時間以上受信しないとき，又は前記無線通信機器からの前記ビーコン信号に対する前記他の無線通信機器からの応答信号を所定時間以上受信しないとき，前記第２の無線通信が切断していることを検出する無線通信機器。
【発明の詳細な説明】
【技術分野】
【０００１】
本発明は，無線通信機器に関する。
【背景技術】
【０００２】
ネットワークを構築する方式として，Ｗｉ‐Ｆｉアライアンスが策定した規格Ｗｉ‐Ｆｉダイレクトを用いた方式（以下Ｗｉ‐Ｆｉダイレクト接続と呼ぶ。）がある。Ｗｉ‐Ｆｉダイレクト接続が可能な無線通信機器は，同じくＷｉ‐Ｆｉダイレクト接続が可能な無線通信機器と，アクセスポイントを介さずに一対一又は複数台の間で直接通信を行うことができる。さらにアクセスポイントとして機能して，Ｗｉ−Ｆｉを用いた無線ＬＡＮによる接続方式（以下，Ｗｉ‐Ｆｉ接続と呼ぶ。）が可能な無線通信機器と，Ｗｉ‐Ｆｉ接続で通信も可能である。また，Ｗｉ‐Ｆｉダイレクト接続はＷｉ‐Ｆｉ技術を用いるため，高速通信が可能である。このＷｉ‐Ｆｉダイレクト接続を用いることで，例えば，カメラや携帯電話からプリンタへ直接画像を送信し印刷することが可能となる。
【先行技術文献】
【特許文献】
【０００３】
【特許文献１】特開２０１１−１６６４１７号公報
【非特許文献】
【０００４】
【非特許文献１】ｈｔｔｐ：／／２０５．１４９．１２８．２２／Ｗｉ‐Ｆｉ＿Ｄｉｒｅｃｔ．ｐｈｐ
【発明の概要】
【発明が解決しようとする課題】
【０００５】
プリンタ等の無線通信機器には，同時に複数のネットワークに接続するとＣＰＵへの負荷が高くなる，ＭＡＣアドレスの割り当て数が限られている等の理由により，同時に接続可能なネットワーク数に制限があり、例えば単一のネットワークにしか接続できないものがある。このような同時に単一のネットワークにしか接続しない無線通信機器であってＷｉ‐Ｆｉダイレクト接続が可能な無線通信機器では，ユーザは，アクセスポイントを介したＷｉ‐Ｆｉ接続によるネットワークからＷｉ‐Ｆｉダイレクト接続に切り替えて，Ｗｉ‐Ｆｉダイレクト接続が可能な他の無線通信機器とネットワークを構築すると，切替前のＷｉ‐Ｆｉ接続によるネットワークを使用できなくなる。そして，Ｗｉ‐Ｆｉダイレクト終了後に切替前のＷｉ‐Ｆｉ接続によるネットワークを再び使用するためには，ユーザは，無線通信機器に対して切替前のＷｉ‐Ｆｉ接続によるネットワークの通信設定情報を再度設定する必要がある。通常，Ｗｉ‐Ｆｉダイレクト接続は一時的に使用されるため，Ｗｉ‐Ｆｉダイレクト接続が終了する度に再設定操作を行うことはユーザにとって面倒である。
【０００６】
そこで，本発明の目的は，Ｗｉ‐Ｆｉダイレクト接続の終了後，Ｗｉ‐Ｆｉダイレクト接続開始前のネットワークに切り替える再設定操作を不要又は簡単にする無線通信機器を提供することとする。
【課題を解決するための手段】
【０００７】
無線通信機器の第１の側面は，
他の無線通信機器との無線通信を行う無線通信機器において，
前記無線通信に用いられる通信設定情報を記憶する記憶手段と，
前記記憶手段が記憶する通信設定情報に従い前記無線通信を制御し、第１の無線通信および第２の無線通信の通信制御に対応する通信制御手段とを有し，
前記通信制御手段は，
前記記憶手段に記憶された前記第１の無線通信の通信設定情報に従い前記第１の無線通信を制御し，
前記第１の無線通信から前記第２の無線通信に切り替わるとき，前記記憶手段内の前記第１の無線通信の通信設定情報を保持して前記第１の無線通信を終了し、且つ前記第２の無線通信の通信設定情報を前記記憶手段に記憶して前記第２の無線通信の通信設定情報に従い前記第２の無線通信を制御し，
前記第２の無線通信が切断したとき，前記第１の無線通信の通信設定情報に従い前記第１の無線通信を制御する。
【０００８】
無線通信機器の第１の側面によれば，Ｗｉ‐Ｆｉダイレクト接続の終了後，再設定操作無しにＷｉ‐Ｆｉダイレクト接続開始前のネットワークに切り替えることができる。
【図面の簡単な説明】
【０００９】
【図１】本実施の形態における無線通信システムを示す図である。
【図２】本実施の形態におけるネットワーク切替処理のフローチャートである。
【図３】本実施の形態におけるＷｉ‐Ｆｉダイレクト接続開始フェーズのシーケンス図である。
【図４】本実施の形態におけるＷｉ‐Ｆｉダイレクト接続終了フェーズのシーケンス図である。
【発明を実施するための形態】
【００１０】
以下，図面を用いて本発明の実施の形態について説明する。
【００１１】
図１は，本実施の形態における無線通信システムを示す図である。本システムは，プリンタ１００と携帯端末２００とアクセスポイント３００とを有する。プリンタ１００は，同時に単一のネットワークにしか接続できない無線通信機器である。また，プリンタ１００と携帯端末２００は、Ｗｉ‐Ｆｉ接続に加えて，Ｗｉ‐Ｆｉダイレクト接続が可能であり，Ｗｉ‐Ｆｉダイレクト接続又はＷｉ‐Ｆｉ接続のいずれかで無線通信を行う。
【００１２】
本実施の形態では，予め，プリンタ１００は，アクセスポイント３００と無線ＬＡＮによる通信を行うための通信設定情報を設定されており，プリンタ１００とアクセスポイント３００との間でＷｉ‐Ｆｉ接続のネットワークが構築されている。なお，このとき携帯端末２００は，このネットワークと接続している又は接続していないのいずれであってもよい。
【００１３】
また，ユーザは，プリンタ１００と携帯端末２００との間で直接通信を行うために，任意のタイミングで，プリンタ１００と携帯端末２００とを操作してＷｉ‐Ｆｉダイレクト接続を開始することができる。
【００１４】
Ｗｉ‐Ｆｉダイレクト接続が開始されると，後述するネットワーク切替処理により，プリンタ１００と携帯端末２００との間でＷｉ‐Ｆｉダイレクト接続によるネットワークが構築される。さらに，プリンタ１００又は携帯端末２００のいずれかがＷｉ‐Ｆｉダイレクト接続によるネットワークを切断した場合には，プリンタ１００へのユーザの操作無しに，Ｗｉ‐Ｆｉダイレクト接続に切り替える前のネットワーク，すなわちプリンタ１００とアクセスポイント３００との間にＷｉ‐Ｆｉ接続のネットワークが再構築される。ネットワークが切断される例としては，ユーザがプリンタ１００又は携帯端末２００を操作してＷｉ‐Ｆｉダイレクト接続を無効にした場合，携帯端末２００にプリンタ１００からの電波が届かなくなり携帯端末２００が圏外となった場合，プリンタ１００に携帯端末２００からの電波が届かなくなり携帯端末２００が圏外となった場合等がある。
【００１５】
これにより，ユーザは，予めプリンタ１００にＷｉ‐Ｆｉ接続のネットワークの通信設定情報が設定されているプリンタ１００に一時的にＷｉ‐Ｆｉダイレクト接続をしても，再設定をすることなく，Ｗｉ‐Ｆｉダイレクト接続終了後もその前のネットワークを使用することができる。通常，Ｗｉ‐Ｆｉダイレクト接続は一時的に使用され，その使用頻度は少なくは無いため，Ｗｉ‐Ｆｉダイレクト接続の終了毎に再設定操作を行う負担が無くなることはユーザにとって大きなメリットである。
【００１６】
さらに，不慣れなユーザが再設定操作をすると，Ｗｉ‐Ｆｉダイレクト接続前のネットワークが再構築されるまでに多くの時間がかかる。しかし，本実施の形態では，後述するネットワーク切替処理により，ユーザは，Ｗｉ‐Ｆｉダイレクト接続終了後設定操作無しに従前のネットワークを再び使用することができる。
【００１７】
［プリンタ１００］
プリンタ１００は，ＣＰＵ１０１と，不揮発性メモリ１０２と，画像処理部１０３と，印刷エンジン１０４と，操作パネル１０５と，インターフェース１０６と，無線通信部１０７と，バス１０８，１０９とを有する。
【００１８】
ＣＰＵ１０１は不揮発性メモリ１０２に記憶された通信制御プログラムや印刷制御プログラム，後述するネットワーク切替処理プログラム等の各種プログラムを実行し，プリンタ１００内の各装置の制御を行う。不揮発性メモリ１０２は，各種プログラムの他に後述する通信設定情報等のデータを記憶する。
【００１９】
操作パネル１０５はＬＣＤやタッチパネルを有し，各種メッセージを表示し，ユーザからの操作を受け付ける。操作パネル１０５に表示されるＷｉ‐Ｆｉダイレクト有効化ボタンが押されると，Ｗｉ‐Ｆｉダイレクト接続が有効となり，後述するネットワーク切替処理が開始される。また，後述するネットワーク切替処理中に生成される機器リストが操作パネル１０５に表示され，ユーザは機器リストからＷｉ‐Ｆｉダイレクト接続の通信先の機器を選択することができる。さらに，操作パネル１０５に表示されるＷｉ‐Ｆｉダイレクト無効化ボタンが押されると，Ｗｉ‐Ｆｉダイレクト接続が無効となり，構築されたＷｉ‐Ｆｉダイレクト接続のネットワークが切断される。
【００２０】
インターフェース１０６は，図示しないパソコン等外部装置とＬＡＮケーブルにより接続する。無線通信部１０７は，携帯端末２００とＷｉ‐Ｆｉダイレクト接続による通信又はアクセスポイント３００とのＷｉ‐Ｆｉ接続によるＷｉ‐Ｆｉ接続通信を行う。
【００２１】
画像処理部１０３は，インターフェース１０６又は無線通信部１０７を介して受信した画像データを受け取り画像処理をして印刷データを生成する。また，バス１０９を介して画像処理部１０３と接続する印刷エンジン１０４は，印刷データに基づき画像を印刷する。
【００２２】
［携帯端末２００］
携帯端末２００は，通信制御プログラム等の各種プログラムを実行し携帯端末内の各装置を制御するＣＰＵ２０１と，各種プログラムやデータを記憶する不揮発性メモリ２０２と，メッセージを表示しユーザからの操作を受け入れる操作パネル２０３と，Ｗｉ‐Ｆｉダイレクト接続又はＷｉ‐Ｆｉ接続のいずれかで通信を行う無線通信部２０４と，バス２０５とを有する。
【００２３】
操作パネル２０３には，Ｗｉ‐Ｆｉダイレクト有効化ボタン，Ｗｉ‐Ｆｉダイレクト無効化ボタンが表示される。Ｗｉ‐Ｆｉダイレクト有効化ボタンが押下されると，Ｗｉ‐Ｆｉダイレクト接続が有効となり，プリンタ１００等Ｗｉ‐Ｆｉダイレクト接続が可能な他の無線通信機器との間で，Ｗｉ‐Ｆｉダイレクト接続のネットワークが構築される。また，操作パネル２０３に表示されるＷｉ‐Ｆｉダイレクト無効化ボタンが押下されると，Ｗｉ‐Ｆｉダイレクト接続が無効となり，構築されたＷｉ‐Ｆｉダイレクト接続のネットワークが切断される。
【００２４】
このように本実施の形態では，ユーザは，プリンタ１００と携帯端末２００のいずれかのＷｉ‐Ｆｉダイレクト有効化ボタン・無効化ボタンを押すことで，Ｗｉ‐Ｆｉダイレクト接続のネットワーク構築開始・切断をすることができる。
【００２５】
［ネットワーク切替処理］
本実施の形態におけるネットワーク切替処理の具体例が，図２〜図４に示されている。図２は，本実施の形態におけるネットワーク切替処理のフローチャートである。
【００２６】
ネットワーク切替処理は図２に示すステップＳ１〜Ｓ１０で構成される。ステップＳ１〜Ｓ７はＷｉ‐Ｆｉダイレクト接続開始フェーズ，ステップＳ８〜Ｓ１０はＷｉ‐Ｆｉダイレクト接続終了フェーズである。各フェーズの具体的な処理は図３，図４に示される。
【００２７】
図３は，本実施の形態におけるＷｉ‐Ｆｉダイレクト接続開始フェーズのシーケンス図である。また，図４は，本実施の形態におけるＷｉ‐Ｆｉダイレクト接続終了フェーズのシーケンス図である。
【００２８】
図２〜図４の処理においては，ステップＳ１〜Ｓ１０のネットワーク切替処理が開始される前に，図１のようにプリンタ１００とアクセスポイント３００との間に，予め，アクセスポイント３００との間にインフラストラクチャモードのＷｉ‐Ｆｉ接続によるネットワークが構築されていることとする。つまり，不揮発性メモリ１０２には，アクセスポイント１００とのＷｉ‐Ｆｉ接続通信に必要な通信設定情報（以下，Ｗｉ‐Ｆｉ接続通信設定情報と記す。），例えばアクセスポイント３００のＩＰアドレス，ＳＳＩＤ（ネットワーク識別子），パスワード等が予め記憶されている。
【００２９】
また，携帯端末２００では，ユーザにより予めＷｉ‐Ｆｉダイレクト有効化ボタンを押されており，Ｗｉ‐Ｆｉダイレクト接続が有効になっている。
【００３０】
そして，ＣＰＵ１０１は，上記の下で，不揮発性メモリ１０２内のネットワーク切替処理プログラムを実行し，以下に示すネットワーク切替処理（Ｓ１〜Ｓ１０）を行う。
【００３１】
［Ｗｉ‐Ｆｉダイレクト接続開始フェーズ］
上述のとおり，ユーザが操作パネル１０５のＷｉ‐Ｆｉダイレクト有効化ボタンを押すとネットワーク切替処理が開始される。具体的には，ユーザが操作パネル１０５のＷｉ‐Ｆｉダイレクト有効化ボタンを押すと，ＣＰＵ１０１は，Ｗｉ‐Ｆｉダイレクト接続が有効にされたことを通知され（Ｓ１），ステップＳ２の処理を実行する。
【００３２】
ステップＳ２では，ＣＰＵ１０１は，無線通信部１０７に対して，Ｗｉ−Ｆｉ接続通信を終了するよう要求する（Ｓ２）。そして，無線通信部１０７は，この要求に応答して，プリンタ１００とアクセスポイント３００とのＷｉ−Ｆｉ接続のネットワークを切断する。このとき，不揮発性メモリ１０２に記憶されているＷｉ‐Ｆｉ接続通信設定情報は削除されず，不揮発性メモリ１０２に保持される。
【００３３】
ステップＳ２の後，プリンタ１００の通信圏内にあるＷｉ−Ｆｉダイレクト接続が有効になっている無線通信機器を探索する（Ｓ３）。具体的には，まずＣＰＵ１０１は，無線通信部１０７に対して，プローブリクエストを送信するよう要求する（Ｓ３−１）。そして，無線通信部１０７は，この要求に応答してプローブリクエストを送信する（Ｓ３−２）。このとき，プローブリクエストにはプリンタ１００のＭＡＣアドレス，デバイスネーム，デバイスタイプ等の機器識別情報が含まれる。
【００３４】
携帯端末２００の無線通信部２０４がプリンタ１００の無線通信部１０７から送信されたプローブリクエストを受信すると，Ｗｉ−Ｆｉダイレクト接続が有効な携帯端末２００の無線通信部２０４は，無線通信部１０７に対してプローブレスポンスを送信する（Ｓ３−３）。このプローブレスポンスには携帯端末２００のＭＡＣアドレス，デバイスネーム，デバイスタイプ等の機器識別情報が含まれる。そして，ＣＰＵ１０１は，無線通信部１０７を介して携帯端末２００のプローブレスポンスを受信する。このとき，携帯端末２００以外にＷｉ−Ｆｉダイレクト接続が有効な他の無線通信機器がある場合は，その他の無線通信機器に対しても同様にプローブリクエスト送信とプローブレスポンス受信が行われる。
【００３５】
そしてＣＰＵ１０１は，受信したプローブレスポンスに基づいて機器リストを作成する（Ｓ３−５）。この機器リストは，プリンタ１００の通信圏内に存在しＷｉ−Ｆｉダイレクト接続が有効な無線通信機器の一覧である。
【００３６】
機器リスト作成後，ＣＰＵ１０１は操作パネルに機器リストを表示する（Ｓ４）。ユーザは操作パネル１０５を操作し，機器リストの中からＷｉ−Ｆｉダイレクト接続通信先として携帯端末２００を選択する。そして，操作パネル１０５は携帯端末２００が選択されたことを通知する（Ｓ５）。
【００３７】
ＣＰＵ１０１は，機器リストから携帯端末２００が選択されると，携帯端末２００とＷｉ−Ｆｉダイレクト接続通信を行うための通信設定情報を不揮発性メモリ１０２に保存する（Ｓ６）。まず，ＣＰＵ１０１は，無線通信部１０７に対して，携帯端末２００への接続要求であるグループオーナーネゴシエーション（以下ＧＯＮと記す。）リクエストの送信を要求する（Ｓ６−１）。そして，無線通信部１０７は，この要求に応答して，携帯端末２００の無線通信部２０４にＧＯＮリクエストを送信する（Ｓ６−２）。
【００３８】
無線端末２００の無線通信部２０４がＧＯＮリクエストを受信すると，ＣＰＵ２０１により操作パネル２０３にプリンタ１００から接続要求があった旨のメッセージが表示される。そして，ユーザが操作パネル２０３を操作してプリンタ１００との接続を許可すると，接続許可を通知するＧＯＮレスポンスが，携帯端末２００の無線通信部２０４を介してプリンタ１００の無線通信部１０７に送信される（Ｓ６−３）。
【００３９】
ＣＰＵ１０１は，無線通信部１０７を介してＧＯＮレスポンスを受信（Ｓ６−４）すると，携帯端末２００とＷｉ−Ｆｉダイレクト接続通信するためのＳＳＩＤを生成する。このＳＳＩＤは，携帯端末２００との通信向けに使用する一時的なＳＳＩＤである。つまり，携帯端末２００とのネットワーク切断後，プリンタ１００が，携帯端末２００を含むＷｉ−Ｆｉダイレクト接続有効な無線通信機器とＷｉ−Ｆｉダイレクト接続通信を再度開始するときは，別のＳＳＩＤが生成される。
【００４０】
そして，ＣＰＵ１０１は，生成したＳＳＩＤ，パスワード，ＩＰアドレス等，Ｗｉ−Ｆｉダイレクト接続に必要な通信設定情報（以下，Ｗｉ−Ｆｉダイレクト接続通信設定情報と記す。）を不揮発性メモリ１０２に記憶する（Ｓ６−５）。
【００４１】
ステップＳ６完了後，ＣＰＵ１０１は，Ｗｉ−Ｆｉダイレクト接続通信を開始する（Ｓ７）。まず，ＣＰＵ１０１は，プリンタ１００と携帯端末２００との間で無線層レベルでのネットワークを構築したことを通知するＧＯＮコンファメーションの送信を無線通信部１０７に要求する（Ｓ７−１）。そして，無線通信部１０７から送信されたＧＯＮコンファメーションは，無線通信部２０４に受信される（Ｓ７−２）。この後，ＣＰＵ１０１は，ＷＰＳ（Ｗｉ−Ｆｉ  Ｐｒｏｔｅｃｔｅｄ  Ｓｅｔｕｐ）方式により，プリンタ１００と携帯端末２００と間でセキュリティ設定を行い，Ｗｉ‐Ｆｉダイレクト接続による通信が可能となる。
【００４２】
以上のように，Ｗｉ‐Ｆｉダイレクト接続開始フェーズでは，プリンタ１００は，Ｗｉ‐Ｆｉ接続通信が終了してもＷｉ‐Ｆｉ接続通信設定情報を不揮発性メモリ１０２内に保持し，Ｗｉ‐Ｆｉダイレクト接続通信設定情報を不揮発性メモリ１０２内にさらに記憶する。そして，プリンタ１００は，Ｗｉ‐Ｆｉダイレクト接続通信設定情報に基づいてＷｉ‐Ｆｉダイレクト接続を開始する。
【００４３】
なお，Ｗｉ‐Ｆｉ接続通信設定情報は，不揮発性メモリ１０２ではなく図示しないプリンタ１００内のＲＡＭに記憶してもよい。この場合には，ＲＡＭに記憶されているＷｉ‐Ｆｉ接続通信設定情報に基づいて，ステップＳ７のＷｉ−Ｆｉダイレクト接続通信が開始される。
【００４４】
［Ｗｉ‐Ｆｉダイレクト接続終了フェーズ］
プリンタ１００と携帯端末２００と間でＷｉ‐Ｆｉダイレクト接続通信が行われてから，ＣＰＵ１０１が携帯端末２００とのネットワークが切断されたことを検出すると，図４に示すステップ８以降の処理が行われ，ユーザによる設定操作無しに従前のＷｉ‐Ｆｉ接続のネットワークに切り替わる。
【００４５】
ユーザが，携帯端末２００の操作パネル２０３のＷｉ‐Ｆｉダイレクト無効化ボタンを押すと，Ｗｉ‐Ｆｉダイレクト接続が無効となりＷｉ‐Ｆｉダイレクト接続通信のネットワークが切断される。それと共に，携帯端末２００の無線通信部２０４は，プリンタ１００の無線通信部１０７に通知する（Ｓ８−１）。これにより，ＣＰＵ１０１は，無線通信部１０７を介して，Ｗｉ‐Ｆｉダイレクト接続の無効にされたことを検出し（Ｓ８−２），ステップＳ９の処理を開始する。
【００４６】
ここで，ネットワーク切断を検出する他の方法として，ビーコンを使用した方法が挙げられる。具体的には，Ｗｉ‐Ｆｉダイレクト接続が可能なプリンタ１００，携帯端末２００は，無線通信部１０７，２０４からそれぞれ一定の時間間隔で互いにビーコンを送信する。そして，一方は他方からのビーコンに応答してレスポンス信号を他方に送信し，一方が他方の電波が届く圏内にあることを通知する。これにより，ＣＰＵ１０１は，携帯端末２００からのビーコン又はレスポンス信号を所定の時間以上受信しなかった場合，携帯端末２００は圏外にあるためネットワークが切断されたことを検出することができる。そして，ＣＰＵ１０１はこのネットワーク切断を検出するとステップＳ９の処理を開始する。
【００４７】
ステップＳ８によりネットワーク切断を検出したＣＰＵ１０１は，不揮発性メモリ１０２内のＷｉ‐Ｆｉダイレクト接続通信設定情報を削除し（Ｓ９），プリンタ１００とアクセスポイント３００との間でインフラストラクチャモードによるＷｉ‐Ｆｉ接続のネットワークを再構築する（Ｓ１０）。すなわち，ＣＰＵ１０１は，不揮発性メモリ１０２から読み出したＷｉ‐Ｆｉ接続通信設定情報（Ｓ１０−１）に基づいて，無線通信部１０７を介して（Ｓ１０−２），アクセスポイント３００との通信を開始する。
【００４８】
以上のように，Ｗｉ‐Ｆｉダイレクト接続終了フェーズでは，プリンタ１００は，Ｗｉ‐Ｆｉダイレクト接続通信設定情報を削除し，Ｗｉ‐Ｆｉ接続通信設定情報に基づいて，ユーザの再設定操作無しにＷｉ‐Ｆｉ接続を再開する。
【符号の説明】
【００４９】
１００：プリンタ
１０１：ＣＰＵ
１０２：不揮発性メモリ
１０３：画像処理部
１０４：印刷エンジン
１０５：操作パネル
１０６：インターフェース
１０７：無線通信部
２００：携帯端末
２０１：ＣＰＵ
２０２：不揮発性メモリ
２０３：操作パネル
２０４：無線通信部
３００：アクセスポイント
【図１】
0005887969.tif 000002
【図２】
0005887969.tif 000003
【図３】
0005887969.tif 000004
【図４】
0005887969.tif 000005